(57)【特許請求の範囲】
【請求項１】
筐体内から軸方向に抜き差しして用いられる所定長のアンテナと、
前記アンテナに対して軸周り方向の回動操作力を与えるための操作ノブと、
前記アンテナの回動位置が第一の位置にあるときに前記アンテナに対して抜き方向の磁気反発力を与える第一の磁力付与手段と、
前記アンテナの回動位置が前記第一の位置と異なる第二の位置にあるときに前記アンテナに対して差し込み方向の磁気吸引力を与える第二の磁力付与手段と、
を備えたことを特徴とするアンテナ構造。
【請求項２】
筐体内から一端を支点に出し入れして用いられる所定長のアンテナと、
前記アンテナに対して軸周り方向の回動操作力を与えるための操作ノブと、
前記アンテナの回動位置が第一の位置にあるときに前記アンテナに対して出し方向の磁気反発力を与える第一の磁力付与手段と、
前記アンテナの回動位置が前記第一の位置と異なる第二の位置にあるときに前記アンテナに対して入れ方向の磁気吸引力を与える第二の磁力付与手段と、
を備えたことを特徴とするアンテナ構造。
【請求項３】
前記第一の磁力付与手段及び第二の磁力付与手段は、いずれも永久磁石を用いて構成されたものであることを特徴とする請求項１または２に記載のアンテナ構造。
【請求項４】
請求項１〜３のいずれかに記載の構造を有するアンテナを備えたことを特徴とする電子機器。
【発明の詳細な説明】
【技術分野】
【０００１】
本発明は、アンテナ構造及び電子機器に関し、詳しくは、引き出し式のアンテナを必要とするアンテナ構造及び電子機器に関する。
【背景技術】
【０００２】
地上デジタル放送（略して“地デジ放送”）は、既存のアナログ方式のテレビ放送に代わり、４００ＭＨｚ帯のＵＨＦ電波を用いてデジタル方式でテレビ放送を配信する新しいシステムであり、電波障害やゴーストに強いなどの特徴を持っている。この地デジ放送では、携帯機器向けの「ワンセグ放送」も同時に行われており、地デジ専用の携帯型受信端末はもちろんのこと、たとえば、携帯電話機等の既存の携帯電子機器においても、そのワンセグ受信機能が搭載される傾向にある。
【０００３】
上記のとおり、地デジ放送はＵＨＦ帯の電波を用いており、その受信に際しては地デジ放送専用の所定長のアンテナが用いられる。一般的にアンテナの長さは受信波長（λ）に依存するが、とりわけ携帯型の電子機器では長すぎるアンテナは邪魔になることから、λ／４程度の短いアンテナとされることが多く、また、持ち運びの容易性と良好な受信性能を得るために「引き出し式」（通常は筐体内に収容し、使用するときに引き出す方式）とされることが多い。
【０００４】
かかる「引き出し式」のアンテナとしては、たとえば、下記の特許文献１に記載のものが知られている。以下、このアンテナを従来技術ということにする。
【０００５】
図１０は、従来技術の構造図である。この図において、筐体１の内部にはモノポールアンテナ２が収容されている。モノポールアンテナ２の基部３にはマグネット４が取り付けられており、且つ、このマグネット４に対向して、磁気感応センサ５が筐体１の内壁に取り付けられている。
【０００６】
このような構成において、モノポールアンテナ２は、筐体１の天井に開けられた穴１ａから引き出せるようになっており、このモノポールアンテナ２を引き出すと、モノポールアンテナ２の基部３に取り付けられているマグネット４が磁気感応センサ５から遠ざかるようになっている。
【０００７】
したがって、この構造によれば、磁気感応センサ５の出力信号から、モノポールアンテナ２の引き出しを検出することができる。
【先行技術文献】
【特許文献】
【０００８】
【特許文献１】特開２０００−１２４７１８号公報
【発明の概要】
【発明が解決しようとする課題】
【０００９】
上記の従来技術にあっては、モノポールアンテナ２の引き出しを検出することができるという利点があるものの、モノポールアンテナ２の保持については何ら考慮されていないため、筐体１の姿勢を変えたときに、収容状態にあるモノポールアンテナ２が不本意に飛び出したり、または、引き出し状態にあるモノポールアンテナ２が不本意に引き込まれてしまったりするという不都合があり、モノポールアンテナ２の保持安定性が悪いという問題点がある。
【００１０】
この問題点の解決策として、筐体１の内部に、マグネット４に吸引する金属部材を設けておくことが考えられる。具体的には、収容状態にあるときの基部３の近くと、引き出し状態にあるときの基部３の近くの２箇所に金属部材を設けておくことが考えられる。
【００１１】
このようにすれば、収容状態と引き出し状態の双方において、モノポールアンテナ２の基部３のマグネット４が、それぞれの位置の金属部材に吸着するので、収容状態と引き出し状態の双方を安定して保持することができる。
【００１２】
しかしながら、このようにした場合は、マグネット４と金属部材との吸着力を上回る強い力で、モノポールアンテナ２の引き出しと収容の操作を行う必要があることから、モノポールアンテナ２に機械的なストレスが加わり、最悪の場合、モノポールアンテナ２が曲がってしまうなどの新たな不都合を招くおそれがある。
【００１３】
そこで、本発明は、ストレスを加えずにアンテナの引き出しや収容の操作を行うことができ、且つ、引き出し状態や収容状態の保持を確実に行うことができるアンテナ構造及び電子機器を提供することにある。
【課題を解決するための手段】
【００１４】
請求項１記載の発明は、筐体内から軸方向に抜き差しして用いられる所定長のアンテナと、前記アンテナに対して軸周り方向の回動操作力を与えるための操作ノブと、前記アンテナの回動位置が第一の位置にあるときに前記アンテナに対して抜き方向の磁気反発力を与える第一の磁力付与手段と、前記アンテナの回動位置が前記第一の位置と異なる第二の位置にあるときに前記アンテナに対して差し込み方向の磁気吸引力を与える第二の磁力付与手段と、を備えたことを特徴とするアンテナ構造である。
請求項２記載の発明は、筐体内から一端を支点に出し入れして用いられる所定長のアンテナと、前記アンテナに対して軸周り方向の回動操作力を与えるための操作ノブと、前記アンテナの回動位置が第一の位置にあるときに前記アンテナに対して出し方向の磁気反発力を与える第一の磁力付与手段と、前記アンテナの回動位置が前記第一の位置と異なる第二の位置にあるときに前記アンテナに対して入れ方向の磁気吸引力を与える第二の磁力付与手段と、を備えたことを特徴とするアンテナ構造である。
請求項３記載の発明は、前記第一の磁力付与手段及び第二の磁力付与手段は、いずれも永久磁石を用いて構成されたものであることを特徴とする請求項１または２に記載のアンテナ構造である。
請求項４記載の発明は、請求項１〜３のいずれかに記載の構造を有するアンテナを備えたことを特徴とする電子機器である。
【発明の効果】
【００１５】
本発明によれば、ストレスを加えずにアンテナの引き出しや収容の操作を行うことができ、且つ、引き出し状態や収容状態の保持を確実に行うことができる。
【図面の簡単な説明】
【００１６】
【図１】第一の実施形態の構造図である。
【図２】第一の実施形態の作用説明図である。
【図３】第二の実施形態の構造図である。
【図４】第二の実施形態の変形構成図である。
【図５】第三の実施形態の構造図である。
【図６】第三の実施形態の変形構造図である。
【図７】アンテナの改良例を示す図である。
【図８】さらなる改良例を示す図である。
【図９】第三の実施形態の改良例を示す図である。
【図１０】従来技術の構造図である。
【発明を実施するための形態】
【００１７】
以下、本発明の実施形態を、図面を参照しながら説明する。
＜第一の実施形態＞
図１は、第一の実施形態の構造図である。この図において、図面上方に描かれた破断状板部材（以下、上部板部材という）１０と図面下方に描かれた破断状板部材（以下、下部板部材という）１１は、たとえば、ワンセグ放送受信機能付き携帯電話機の筐体の一部である。
【００１８】
上部板部材１０には開口１２が形成されており、この開口１２に、ワンセグ放送受信用の所定長のアンテナ１３が抜き差し可能に、且つ、その抜き差しの際に若干の抵抗をもつように通されている。ここで“若干の抵抗”とは、引き出された状態（または引き込まれた状態）のアンテナ１３が振動等によって不本意に引き込まれない（または飛び出さない）程度の“きつさ”を持つことをいう。
【００１９】
アンテナ１３は、その上部が上部板部材１０の開口１２に挿通されていることに加え、その中間部付近についても、ワンセグ放送受信機能付き携帯電話機の筐体の一部（たとえば、側壁１４）から延びるステー１５に形成された開口１６に挿通されている。したがって、アンテナ１３は、これら二つの開口１２、１６により、その軸周り方向への回動（矢印Ａ参照）と軸方向への移動（矢印Ｂ参照）が共に許容されている。
【００２０】
アンテナ１３の先端には円筒状のキャップ１７が一体的に取り付けられており、このキャップ１７の側面に操作ノブ１８が突出形成されている。
【００２１】
アンテナ１３の根本には非磁性体（たとえば、プラスチック等）からなるプレート１９が取り付けられており、このプレート１９にはほぼ９０度の角度で放射方向に延びる二つの突出部２０、２１が形成されている。
【００２２】
二つの突出部２０、２１の下面には、それぞれ永久磁石２２、２３が取り付けられている。以下、図面に向かって左側の突出部２０を第一突出部２０といい、右側の突出部２１を第二突出部２１ということにし、同様に、第一突出部２０の下面に取り付けられた永久磁石２２を第一永久磁石２２といい、第二突出部２１の下面に取り付けられた永久磁石２３を第二永久磁石２３ということにする。
【００２３】
一方、下部板部材１１には、第三永久磁石２４と、第一ストッパ２５と、第二ストッパ２６とが取り付けられている。
【００２４】
第一ストッパ２５と第二ストッパ２６は、アンテナ１３の回動（矢印Ａ参照）を規制するためのものであり、具体的には、第一ストッパ２５は第一突出部２０を図示位置に規制し、また、第二ストッパ２６は第二突出部２１が図示位置から９０度反時計回り方向に回動した位置に規制する。したがって、アンテナ１３は、これら二つの規制部材（第一及び第二ストッパ２５、２６）により、ほぼ９０度の回動が許容されている。
【００２５】
第三永久磁石２４は、第一突出部２０が第一ストッパ２５によって図示位置に規制されているとき、他方の第二突出部２１の下面に取り付けられた第二永久磁石２３と対向する位置に設けられている。この対向状態において、第二永久磁石２３と第三永久磁石２４は、所定の距離を隔てて、互いに吸引し合う関係の磁極配置（異極配置）になっている。
【００２６】
一方、アンテナ１３の先端のキャップ１７に形成された操作ノブ１８を指先で動かすことにより、アンテナ１３を図示位置から反時計回り方向にほぼ９０度回動させることができる。この回動後の状態においては、第二突出部２１が第二ストッパ２６に当接し、且つ、第一突出部２０の下面に取り付けられた第一永久磁石２２と第三永久磁石２４が所定の距離を隔てて対向するが、これらの第一永久磁石２２と第三永久磁石２４は互いに反発し合う関係の磁極配置（同極配置）になっている。
【００２７】
たとえば、異極配置は、図中の吹き出し２７、２８に示すように、第三永久磁石２４の上側をＳ極、第二永久磁石２３の下側をＮ極とすることにより達成され、また、同極配置は、図中の吹き出し２９に示すように、第一永久磁石２２の下側をＳ極とすることにより達成される。
【００２８】
次に、第一の実施形態の作用について説明する。
図２は、第一の実施形態の作用説明図である。この図において、（ａ）に示すように、アンテナ１３の先端に位置するキャップ１７の操作ノブ１８が図示位置にあるときを「ＬＯＣＫ」と称し、その操作ノブ１８を反時計回り方向にほぼ９０度回動させた位置を「ＵＮＬＯＣＫ」と称することにする。
【００２９】
操作ノブ１８が「ＬＯＣＫ」にあるとき、（ｂ）に示すように、第二突出部２１に取り付けられた第二永久磁石２３と、下部板部材１１に取り付けられた第三永久磁石２４とが所定の距離を隔てて対向しており、前記のとおり、これらの第二永久磁石２３と第三永久磁石２４は「異極配置」であるので、この第二突出部２１と一体のアンテナ１３は、それら二つの永久磁石（第二永久磁石２３と第三永久磁石２４）の間に働く吸引力により、下部板部材１１にしっかりと保持される。したがって、仮に強い振動が与えられたとしても、不本意にアンテナ１３が回動したり、あるいは、引き出されたりすることがない。なお、第二永久磁石２３と第三永久磁石２４は、所定の距離以下に接近することがないようになっている。これは、離隔距離がゼロになって完全に吸着してしまうと、ＬＯＣＫからＵＮＬＯＣＫに移行する際に大きな力が必要となり、従来技術と同様の問題点を招くおそれがあるからである。
【００３０】
アンテナ１３を意図的に引き出す際は、操作ノブ１８をほぼ９０度反時計回り方向に回動させて、「ＵＮＬＯＣＫ」の位置にすればよい。
【００３１】
「ＵＮＬＯＣＫ」の位置にすると、第一突出部２０に取り付けられた第一永久磁石２２と、下部板部材１１に取り付けられた第三永久磁石２４とが対向することとなり、前記のとおり、これらの第一永久磁石２２と第三永久磁石２４は「同極配置」であるので、この第一突出部２０と一体のアンテナ１３は、それら二つの永久磁石（第一永久磁石２２と第三永久磁石２４）の間に働く反発力により、下部板部材１１から離反することになる。したがって、この離反によって上部板部材１０から若干飛び出したキャップ１７を指先でつまみ、アンテナ１３を引き出すことにより、地デジ放送の受信態勢を整えることができる。
【００３２】
なお、引き出された状態のアンテナ１３の保持については、前記のとおり、上部板部材１０の開口１２とアンテナ１３の間に“若干の抵抗”を持たせてあるので心配はない。この“若干の抵抗”を上回る力を加えない限り、不本意にアンテナ１３が引き込まれないからである。
【００３３】
以上のとおり、この第一の実施形態によれば、磁石の吸引力を利用して収容状態のアンテナ１３の確実な保持を図ることができることに加え、当該磁石の反発力を利用してアンテナ１３の引き出しを補助するようにしたから、引き出しに特段の力を要することが無くなり、したがって、アンテナ１３に余計なストレスを与えずに曲がり等の機械的トラブルを招かないという格別の効果が得られる。
【００３４】
なお、この第一の実施形態では、直動式（軸方向に抜き差しを行う方式）のアンテナへの適用を例にしたが、これに限らない。次の第二の実施形態に示すように、一端を支点にして出し入れされる可倒式アンテナに適用してもよい。
【００３５】
＜第二の実施形態＞
図３は、第二の実施形態の構造図である。この図において、（ａ）は可倒式アンテナ（以下、単にアンテナという）を示す図であり、アンテナ３０は、一端側が筐体３１に回動可能に支持されており、通常は筐体３１に形成された窪み３２に格納されているが、使用する際には、アンテナ３０の先端部分を指先等で引き起こし、破線で示すように、直立または任意の角度にして使用されるものである。
【００３６】
このような（可倒式の）アンテナ３０においても、引き出しの際のストレスが問題になることがある。引き出しの容易さの点では、アンテナ３０の支点を回りやすくしておくことが望ましいが、そうすると今度は、振動等により不本意にアンテナ３０が引き出されてしまい、たとえば、ポケットの中などで勝手にアンテナ３０が引き出された場合に、アンテナ３０が折れてしまうおそれがある。このため、一般的には、アンテナ３０の折損等を回避するために、言い換えれば、引き出しの容易さを犠牲にしてでも、アンテナ３０の支点を回り難くしておくことが行われているが、アンテナ３０の支点を回り難くすることは、引き出しの際に「強い力」を必要とすることを意味するから、結局、アンテナ３０にストレスが加わって機械的トラブルを招く可能性がある。
【００３７】
そこで、この第二の実施形態においては、以下のようにした。
（ｂ）は、第二の実施形態に係る可倒式アンテナの構造図である。この図において、アンテナ３３は同軸の本体部３４と根本部３５とからなり、これらの本体部３４と根本部３５は互いに回動可能に連結されている。根本部３５は、軸に直交する方向に形成された開口３６を有しており、この開口３６が筐体との回動支点になっている。
【００３８】
アンテナ３３の先端にはキャップ３７が一体に取り付けられており、このキャップ３７の側面から突出する操作ノブ３８が形成されている。
【００３９】
また、キャップ３７の周回りにほぼ９０度離隔して形成された二箇所の窪み３９、４０には、それぞれ第一永久磁石４１と第二永久磁石４２が嵌め込まれており、さらに、（ｃ）に示すように、このアンテナ３３を収容するための収容部４３を有する筐体４４の側には第三永久磁石４５が設けられている。
【００４０】
これら三つの永久磁石（第一〜第三永久磁石４１、４２、４５）の磁極関係は、以下のとおりである。
（１）第一永久磁石４１と第三永久磁石４５は「異極配置」
（２）第二永久磁石４２と第三永久磁石４５は「同極配置」
具体的には、第一永久磁石４１のＮ極と第三永久磁石４５のＳ極が対向する関係（異極配置）で、且つ、第二永久磁石４１のＳ極と第三永久磁石４５のＳ極が対向する関係（同極配置）になっている。異極配置では磁石の吸引力が働き、同極配置では磁石の反発力が働く。
【００４１】
このような構成において、図３（ｃ）に示すように、キャップ３７の操作ノブ３８を「ＬＯＣＫ」の位置にすると、第一永久磁石４１と第三永久磁石４５が所定の距離を隔てて対向し、これら二つの磁石（第一永久磁石４１と第三永久磁石４５）は「異極配置」であるので、磁力の引き合いにより、アンテナ３３が筐体４４の収容部４３に確実に保持される。したがって、振動等が加えられてもアンテナ３３が不本意に引き出されることはない。
【００４２】
一方、キャップ３７の操作ノブ３８を「ＵＮＬＯＣＫ」の位置にすると、第二永久磁石４２と第三永久磁石４５が対向し、これら二つの磁石（第二永久磁石４２と第三永久磁石４５）は「同極配置」であるので、磁力の反発により、アンテナ３３が筐体４４の収容部４３から飛び出す。したがって、後は指先等でアンテナ３３を引き出せばよく、アンテナ３３を引き出す際に大きな力を必要としないので、ストレスを与えることがなく、機械的トラブルの発生を回避することができる。
【００４３】
なお、この第二の実施形態では、キャップ３７に二つの磁石（第一永久磁石４１と第二永久磁石４２）を組み込んでいるが、これに限定されない。
【００４４】
図４は、第二の実施形態の変形構成図である。この図に示すように、キャップ３７に一つの永久磁石４６を組み込んでもよい。この永久磁石４６はキャブ３７の周方向にＳ極とＮ極が並んでおり、操作ノブ３８が「ＬＯＣＫ」にある時に、永久磁石４６のＮ極と第三永久磁石４５のＳ極とを対向させ（異極配置）、且つ、操作ノブ３８が「ＵＮＬＯＣＫ」にある時に、永久磁石４６のＳ極と第三永久磁石４５のＳ極とを対向させる（同極配置）ようにすればよい。
【００４５】
このようにしても、磁力を利用してアンテナ３３の収容を保持できると共に、アンテナ３３の引き出しを補助して余計な力を必要としないようにすることができる。
【００４６】
＜第三の実施形態＞
図５は、第三の実施形態の構造図である。この第三の実施形態では、いちいちボタン操作を行わずに、地デジ放送の受信態勢が整ったことを検出して、自動的に地デジ放送をオンにする技術を開示する。
【００４７】
（ａ）に示すように、携帯電話機５０は地デジ放送受信端末としても機能するものであり、地デジ放送受信の際に放送内容を表示するためのディスプレイ５１を有する表示筐体５２と、各種の操作ボタン類を配置した操作筐体５３とからなる、いわゆる折り畳みタイプのものである。
【００４８】
（ｂ）に示すように、表示筐体５２は、開いた状態で折り畳むことが可能になっており、この状態でディスプレイ５１が表に出るようになっている。以下、ディスプレイ５１が表に出て折り畳まれた状態のことを「ビュースタイル」ということにする。この「ビュースタイル」は地デジ放送受信時の典型的スタイルであり、且つ、地デジ放送受信の際には、表示筐体５２の側面に格納されているアンテナ５４を引き出して直立させることも行われる。
【００４９】
この第三の実施形態では、次の特徴的事項を含む。まず、第一に、アンテナ５４の先端に磁石５５を組み込んでいる。第二に、表示筐体５２と操作筐体５３の内部それぞれに磁気センサ５６、５７を設けている。第三に、（ｃ）に示すような電子回路を筐体（表示筐体５２または操作筐体５３）に組み込んでいる。この電子回路は、表示筐体５２と操作筐体５３のそれぞれに設けられた磁気センサ５６、５７の出力が共に「磁気非検出」を示していることを判定する論理回路５８を含み、その論理回路５８の出力がアクティブのとき、つまり、表示筐体５２と操作筐体５３のそれぞれに設けられた磁気センサ５６、５７の出力が共に「磁気非検出」を示しているときに、地デジ放送受信をオンにするための信号を出力するというものである。
【００５０】
このような構成によれば、携帯電話機５０をビュースタイルにし、且つ、アンテナ５４を引き出すと、このアンテナ５４の先端に設けられた磁石５５と、二つの磁気センサ５６、５７との距離が離れるので、論理回路５８から、地デジ放送受信をオンにするための信号を出力することができ、いちいちボタン操作を行わずに、地デジ放送の受信態勢が整ったことを検出して、自動的に地デジ放送をオンにすることができるから、操作性の改善を図ることができる。
【００５１】
なお、この第三の実施形態は、異なるビュースタイルを採用する他の携帯電話機にも適用できる。
【００５２】
図６は、第三の実施形態の変形構造図である。この変形例においても、いちいちボタン操作を行わずに、地デジ放送の受信態勢が整ったことを検出して、自動的に地デジ放送をオンにする技術を開示する。
【００５３】
（ａ）に示すように、携帯電話機６０は地デジ放送受信端末としても機能するものであり、地デジ放送受信の際に放送内容を表示するためのディスプレイ６１を有する表示筐体６２と、各種の操作ボタン類を配置した操作筐体６３とからなり、前記と同様にいわゆる折り畳みタイプのものであるが、その折り畳みヒンジ機構が筐体の長手方向側辺に設けられている点で相違する。
【００５４】
つまり、（ｂ）に示すように、表示筐体６２は、長手方向側辺を支点にして横方向に開くことができるようになっており、開いた状態でディスプレイ６１を表に出し、「ビュースタイル」として地デジ放送を鑑賞できるようになっている。
【００５５】
この変形例においても、次の特徴的事項を含む。まず、第一に、アンテナ６４の先端に磁石６５を組み込んでいる。第二に、表示筐体６２と操作筐体６３の内部それぞれに磁気センサ６６、６７を設けている。第三に、前記の図５（ｃ）に示した電子回路（論理回路５８を含むもの）を筐体（表示筐体６２または操作筐体６３）に組み込んでいる。
【００５６】
このような構成においても、携帯電話機６０をビュースタイルにし、且つ、アンテナ６４を引き出すと、このアンテナ６４の先端に設けられた磁石６５と、二つの磁気センサ６６、６７との距離が離れるので、論理回路６８から、地デジ放送受信をオンにするための信号を出力することができ、いちいちボタン操作を行わずに、地デジ放送の受信態勢が整ったことを検出して、自動的に地デジ放送をオンにすることができるから、操作性の改善を図ることができる。
【００５７】
なお、前記の第三の実施形態（図５）及びその変形例（図６）において、筐体の折り畳み状態でアンテナ５４（６４）を誤って引き出してしまった場合も、このアンテナ５４（６４）の先端に設けられた磁石５５（６５）と、二つの磁気センサ５６、５７（６６、６７）との距離が離れるので、論理回路６８から、地デジ放送受信をオンにするための信号が出力されてしまう。
【００５８】
これを回避するためには、たとえば、筐体の折り畳み状態ではアンテナ５４（６４）を引き出せない（または引き出しにくくなる）ようにしておけばよい。
【００５９】
図７は、アンテナの改良例を示す図である。この図において、筐体に収容された状態のアンテナ５４（６４）は、筐体側面と“面一”になっており、指先等で容易に引き出せないようになっている。加えて、アンテナ５４（６４）の下面側（折り畳み状態で隠れる側の面）に小さな突起（６４ａ）が設けられており、この突起（６４ａ）を手掛かりにしてアンテナ５４（６４）を引き出せるようになっている。
【００６０】
このようにしておけば、筐体の折り畳み状態では、アンテナ５４（６４）を引き出すための「手掛かり」が無いので、誤ってアンテナ５４（６４）が引き出されてしまうことがなく、地デジ放送受信が不本意にオンされない。また、意図的にアンテナ５４（６４）を引き出す際には、筐体を開いて、アンテナ５４（６４）の下面を露出させ、その下面の突起（６４ａ）に指先をかければよいので、意図的な引き出しにも支障を与えない。
【００６１】
または、上記の不都合をより確実に回避するためには、以下のようにしてもよい。
図８は、さらなる改良例を示す図である。この図において、磁気センサ５６（６６）と論理回路５８は、図５（ｃ）と同じものである。すなわち、磁気センサ５６（６６）は表示筐体５２（６２）に設けられ、アンテナ５４（６４）が引き出されたことを検出するものであり、論理回路５８は、この磁気センサ５６（６６）の出力と、この変形例で新たに設けられたマイクロスイッチ等の機械式スイッチ７０の出力とに基づき、ビュースタイルで且つアンテナ引き出しを判定して、地デジ放送受信をオンにするための信号を出力するというものである。
【００６２】
先の例との相違は、操作筐体５３（６３）に磁気センサ５７（６７）を設けず、その代わりに機械式スイッチ７０を設けて、この機械式スイッチ７０によりビュースタイルを検出（実際には表示筐体の開きを検出）することにある。
【００６３】
このようにすれば、仮に折り畳み状態で誤ってアンテナ５４（６４）が引き出されたとしても、筐体は折り畳まれたまま（表示筐体が閉じられたまま）であるから、機械式スイッチ７０はビュースタイルを検知しない。したがって、論理回路５８から、地デジ放送受信をオンにするための信号が出力されず、不本意な地デジ放送受信開始を確実に防止できる。
【００６４】
さらに、前記の第三の実施形態（図５）及びその変形例（図６）は、次のように改良してもよい。
図９は、第三の実施形態の改良例を示す図である。この改良例では、引き出し可能に表示筐体５２（６２）に取り付けられたアンテナ５４（６４）の先端に磁石５５（６５）が設けられている点で前記の第三の実施形態（図５）及びその変形例（図６）と共通するが、表示筐体５２（６２）の磁石５５（６５）と対向する位置に磁性体７１が設けられている点で相違する。磁性体７１は、磁石５５（６５）に引き付けられるものであり、典型的には鉄等の金属である。
【００６５】
このようにすると、アンテナ５４（６４）を表示筐体５２（６２）に収容した際に、アンテナ５４（６４）の先端の磁石５５（６５）と、表示筐体５２（６２）の磁性体７１とが強く吸着する。
【００６６】
したがって、前記の第三の実施形態（図５）及びその変形例（図６）の効果、すなわち、ビュースタイルの検知と、アンテナ５４（６４）の引き出し検知とに応答して、地デジ放送受信をオンにするための信号を自動的に出力することができ、いちいちキー操作を行う必要がないという効果に加え、この改良例では、アンテナ５４（６４）の収容状態を確実に保持することができるという効果が得られる。
【００６７】
さらに、一つの磁石５５（６５）で、ビュースタイルの検知とアンテナ５４（６４）の固定とを行うことができ、部品点数を削減できるという効果も得られる。
【００６８】
なお、以上の説明では、ワンセグ放送受信機能付き携帯電話機への適用例としたが、これに限定されない。引き出し式のアンテナを必要とする、無線電波受信機能を有する電子機器（とりわけ携帯型のもの）であればよく、たとえば、通常のテレビ放送（フルセグ放送やアナログ放送）受信装置、または、ラジオ放送受信装置、あるいは、その他の無線受信装置であっても構わない。さらに、携帯電話機も、それらの電子機器の一例を示しているに過ぎない。
【符号の説明】
【００６９】
Ａ  軸周り方向
Ｂ  軸方向
ＬＯＣＫ  第二の位置
ＵＮＬＯＣＫ  第一の位置
１０  上部板部材（筐体）
１１  下部板部材（筐体）
１３  アンテナ
１８  操作ノブ
２２  第一永久磁石（第一の磁力付与手段、永久磁石）
２３  第二永久磁石（第二の磁力付与手段、永久磁石）
２４  第三永久磁石（第一の磁力付与手段、第二の磁力付与手段、永久磁石）
３３  アンテナ
３８  操作ノブ
４１  第一永久磁石（第二の磁力付与手段、永久磁石）
４２  第二永久磁石（第一の磁力付与手段、永久磁石）
４４  筐体
４５  第三永久磁石（第一の磁力付与手段、第二の磁力付与手段、永久磁石）
５０  携帯電話機（電子機器）
６０  携帯電話機（電子機器）
【図１】
0005344582.tif 000002
【図２】
0005344582.tif 000003
【図３】
0005344582.tif 000004
【図４】
0005344582.tif 000005
【図５】
0005344582.tif 000006
【図６】
0005344582.tif 000007
【図７】
0005344582.tif 000008
【図８】
0005344582.tif 000009
【図９】
0005344582.tif 000010
【図１０】
0005344582.tif 000011